【手続補正書】
【提出日】平成20年7月29日(2008.7.29)
【手続補正１】
【補正対象書類名】明細書
【補正対象項目名】特許請求の範囲
【補正方法】変更
【補正の内容】
【特許請求の範囲】
【請求項１】
定格発電量の電力と熱とを発生する熱電併給装置と、
前記熱電併給装置で発生した熱を貯める蓄熱タンクと、
前記熱電併給装置で発生した電力を熱に変換する電熱変換手段と、
不足分の熱量を補う補助加熱手段と、
所定時間を１周期として、その１周期内の熱需要および電力需要それぞれの経時的変化を予め特定する需要変化特定手段と、
不足分の電力を投入可能な買電手段とを備え、
前記１周期内での熱需要分またはその大半に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を運転する状態と停止する状態とを想定し、前記蓄熱タンク内の蓄熱量が０以上でかつ最大蓄熱量を越えないようにして、全体の一次エネルギーの換算値が最小となる組み合わせの最適運転状態を求め、求められた最適運転状態によって、前記熱電併給装置を定格発電量で運転するとともに電力需要が定格発電量の電力よりも小さいときの余剰電力を前記電熱変換手段で熱に変換することを特徴とするコージェネレーションシステムの運転方法。
【請求項２】
請求項１に記載のコージェネレーションシステムの運転方法において、
所定時間を１周期Ｔとして、その１周期Ｔ内の熱需要および電力需要それぞれの経時的変化を予め特定する需要変化特定手段を備え、
前記１周期Ｔ内での熱需要分またはその大半に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を運転する状態と停止する状態とを想定し、前記蓄熱タンク内の蓄熱量の変動値Ｓ（ｔ＋ｎ・ｄ）が常に下記条件式（１）を満たすとともに、下記一次エネルギーの換算値ＰＥ［式（４）］が最小となる組み合わせの最適運転状態を求め、求められた最適運転状態によって、前記熱電併給装置を定格発電量で運転するとともに電力需要が定格発電量の電力よりも小さいときの余剰電力を前記電熱変換手段で熱に変換することを特徴とするコージェネレーションシステムの運転方法。
【数１】
2002213303.tif 000001
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（２）式で表される。
【数２】
2002213303.tif 000002
ここで、Ｆは定格発電量の電力を、ｋは熱電比をそれぞれ示している。また、Ｈn は余剰電力を電熱変換手段で熱に変換した変換熱量で、Ｆ＞Ｅn （ｔ’）の分を積算するものであり、下記（３）式で表される。
【数３】
2002213303.tif 000003
但し、ｅ（ｔ’）＜Ｆであれば、Ｅn （ｔ’）＝ｅ（ｔ’）
ｅ（ｔ’）≧Ｆであれば、Ｅn （ｔ’）＝Ｆ
ここで、Ｅn （ｔ’）は、負荷電力が定格発電量の電力を越える場合は定格電力量となり、負荷電力が定格電力より小さい場合はその負荷電力量となる電力量であり、ｅ（ｔ’）は、予め特定された電力需要（負荷電力）の経時的変化を示す関数である。
上記（２）式において、ＢＯ（ｔ’）は、熱量不足を生じた際に、その不足分を補うように補助加熱手段を起動する場合の関数を示している。
ＰＥ＝ΣＰＥn ＝ΣＧＩn ・α＋ΣＢＩn ・α’＋ΣＢＥn ・β……（４）
ここで、ΣＰＥn は、ｎ＝１〜Ｔ／ｄの一次エネルギーの総和である。ＧＩnは熱電併給装置の運転に要する燃料供給量であり、次式（５）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数４】
2002213303.tif 000004
ここで、ＧＩ（ｔ’）は、使用する熱電併給装置によって特定される燃料供給量であり、運転停止状態では零となる。
ΣＢＥn は、１周期Ｔとなる所定時間Ｔ内での不足分の電力の投入量であり、次式（６）で表され、また、βは電力の一次エネルギーへの換算値であり、ｎ＝１〜Ｔ／ｄの総和を求めている。
【数５】
2002213303.tif 000005
ここで、ＧＰは、熱電併給装置の発電量であり、次式（７）で表される。
【数６】
2002213303.tif 000006
ここで、Ｅ（ｔ’）は、負荷電力が定格発電量の電力を越える場合は定格電力量となり、負荷電力が定格電力より小さい場合はその負荷電力量となる電力量である。
【請求項３】
負荷電力が定格発電量より少ない場合に負荷電力に合わせて運転することができる電力と熱とを発生する熱電併給装置と、
前記熱電併給装置で発生した熱を貯める蓄熱タンクと、
不足分の熱量を補う補助加熱手段と、
所定時間を１周期として、その１周期内の熱需要および電力需要それぞれの経時的変化を予め特定する需要変化特定手段と、
不足分の電力を投入可能な買電手段とを備え、
前記１周期内での熱需要分に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を運転する状態と停止する状態とを想定し、前記蓄熱タンク内の蓄熱量が０以上でかつ最大蓄熱量を越えないようにして、全体の一次エネルギーの換算値が最小となる組み合わせの最適運転状態を求め、求められた最適運転状態によって、前記熱電併給装置を定格発電量で運転するとともに電力需要が定格発電量の電力よりも小さいときには電力需要の変化に追従させて運転することを特徴とするコージェネレーションシステムの運転方法。
【請求項４】
請求項３に記載のコージェネレーションシステムの運転方法において、
所定時間を１周期Ｔとして、その１周期Ｔ内の熱需要および電力需要それぞれの経時的変化を予め特定する需要変化特定手段を備え、
前記１周期Ｔ内での熱需要分に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を運転する状態と停止する状態とを想定し、前記蓄熱タンク内の蓄熱量の変動値Ｓ（ｔ＋ｎ・ｄ）が常に下記条件式（８）を満たすとともに、下記一次エネルギーの換算値ＰＥ［式（１０）］が最小となる組み合わせの最適運転状態を求め、求められた最適運転状態によって、前記熱電併給装置を定格発電量で運転するとともに電力需要が定格発電量の電力よりも小さいときには電力需要の変化に追従させて運転することを特徴とするコージェネレーションシステムの運転方法。  【数７】
2002213303.tif 000007
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（９）式で表される。
【数８】
2002213303.tif 000008
ここで、Ｅn （ｔ’）は、負荷電力が定格発電量の電力を越える場合は定格電力量となり、負荷電力が定格電力より小さい場合はその負荷電力量となる電力量である。Ｂ［Ｅn （ｔ’）］は、電力量Ｅn （ｔ’）における熱電併給装置の発生熱量を示している。
また、ＢＯ（ｔ’）は、熱量不足を生じた際に、その不足分を補うように補助加熱手段を起動する場合の関数を示している。
ＰＥ＝ΣＰＥn ＝ΣＧＩn ・α＋ΣＢＩn ・α’＋ΣＢＥn ・β……（１０）
ここで、ΣＰＥn は、ｎ＝１〜Ｔ／ｄの一次エネルギーの総和である。ＧＩnは熱電併給装置の運転に要する燃料供給量であり、次式（５ａ）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数９】
2002213303.tif 000009
ここで、ＧＩ（ｔ’）は、使用する熱電併給装置によって特定される燃料供給量であり、運転停止状態では零となる。
ΣＢＥn は、１周期Ｔとなる所定時間Ｔ内での不足分の電力の投入量であり、次式（１１）で表され、また、βは電力の一次エネルギーへの換算値であり、ｎ＝１〜Ｔ／ｄの総和を求めている。
【数１０】
2002213303.tif 000010
ここで、ＧＰは、熱電併給装置の発電量であり、次式（１２）で表される。
【数１１】
2002213303.tif 000011
ここで、Ｅ（ｔ’）は、負荷電力が定格発電量の電力を越える場合は定格電力量となり、負荷電力が定格電力より小さい場合はその負荷電力量となる電力量であり、ｅ（ｔ’）は、予め特定された電力需要（負荷電力）の経時的変化を示す関数である。
【請求項５】
複数段に設定した発電量で運転して設定発電量の電力と熱とを発生する熱電併給装置と、
前記熱電併給装置で発生した熱を貯める蓄熱タンクと、
前記熱電併給装置で発生した電力を熱に変換する電熱変換手段と、
不足分の熱量を補う補助加熱手段と、
所定時間を１周期として、その１周期および次の１周期それぞれ内の熱需要および電力需要それぞれの経時的変化を予め特定する需要変化特定手段と、
不足分の電力を投入可能な買電手段とを備え、
前記１周期内での熱需要分に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を複数段の設定発電量それぞれで運転する状態と停止する状態とを想定し、前記蓄熱タンク内の蓄熱量が０以上でかつ最大蓄熱量を越えないようにして、全体の一次エネルギーの換算値が最小となる組み合わせの最適運転状態を求め、求められた最適運転状態によって、前記熱電併給装置を複数段の定格発電量で運転するとともに電力需要が設定発電量よりも小さいときの余剰電力を前記電熱変換手段で熱に変換することを特徴とするコージェネレーションシステムの運転方法。
【請求項６】
請求項５に記載のコージェネレーションシステムの運転方法において、
所定時間を１周期Ｔとして、その１周期Ｔおよび次の１周期Ｔそれぞれ内の熱需要および電力需要それぞれの経時的変化を予め特定する需要変化特定手段を備え、
前記１周期Ｔ内での熱需要分に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を複数段の設定発電量それぞれで運転する状態と停止する状態とを想定し、前記蓄熱タンク内の蓄熱量の変動値Ｓ（ｔ＋ｎ・ｄ）が常に下記条件式（１３）を満たすとともに、下記一次エネルギーの換算値ＰＥ［式（１６）］が最小となる組み合わせの最適運転状態を求め、求められた最適運転状態によって、前記熱電併給装置を複数段の定格発電量で運転するとともに電力需要が設定発電量よりも小さいときの余剰電力を前記電熱変換手段で熱に変換することを特徴とするコージェネレーションシステムの運転方法。
【数１２】
2002213303.tif 000012
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（１４）式で表される。
【数１３】
2002213303.tif 000013
ここで、Ｆm は設定発電量を、ｋm は設定発電量Ｆm での熱電比をそれぞれ示している。ｍは、２以上で発電量の設定段数までの正の整数である。また、Ｈnは余剰電力を電熱変換手段で熱に変換した変換熱量で、Ｆm ＞Ｅn （ｔ’）の分を積算するものであり、下記（１５）式で表される。
【数１４】
2002213303.tif 000014
但し、ｅ（ｔ’）＜Ｆm であれば、Ｅn （ｔ’）＝ｅ（ｔ’）
ｅ（ｔ’）≧Ｆm であれば、Ｅn （ｔ’）＝Ｆm 
ここで、Ｅn （ｔ’）は、負荷電力が設定発電量Ｆm を越える場合は設定電力量となり、負荷電力が設定発電量Ｆm より小さい場合はその負荷電力量となる電力量であり、ｅ（ｔ’）は、予め特定された電力需要（負荷電力）の経時的変化を示す関数である。
上記（１４）式において、ＢＯ（ｔ’）は、熱量不足を生じた際に、その不足分を補うように補助加熱手段を起動する場合の関数を示している。
ＰＥ＝ΣＰＥn ＝ΣＧＩn ・α＋ΣＢＩn ・α’＋ΣＢＥn ・β……（１６）
ここで、ΣＰＥn は、ｎ＝１〜Ｔ／ｄの一次エネルギーの総和である。ＧＩnは熱電併給装置の運転に要する燃料供給量であり、次式（１７）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数１５】
2002213303.tif 000015
ここで、ＧＩ（ｔ’）は、使用する熱電併給装置によって特定される燃料供給量であり、運転停止状態では零となる。
ΣＢＥn は、１周期Ｔとなる所定時間Ｔ内での不足分の電力の投入量であり、次式（１８）で表され、また、βは電力の一次エネルギーへの換算値であり、ｎ＝１〜Ｔ／ｄの総和を求めている。
【数１６】
2002213303.tif 000016
ここで、ＧＰは、熱電併給装置の発電量であり、次式（１９）で表される。
【数１７】
2002213303.tif 000017
ここで、Ｅ（ｔ’）は、負荷電力が設定発電量Ｆm を越える場合は設定電力量となり、負荷電力が設定発電量Ｆm より小さい場合はその負荷電力量となる電力量である。
【請求項７】
定格発電量の電力と熱とを発生する熱電併給装置と、
前記熱電併給装置で発生した熱を貯める蓄熱タンクと、
前記熱電併給装置で発生した電力を第３者に売る売電手段と、
不足分の熱量を補う補助加熱手段と、
所定時間を１周期として、その１周期内の熱需要および電力需要それぞれの経時的変化を予め特定する需要変化特定手段と、
不足分の電力を投入可能な買電手段とを備え、
前記１周期内での熱需要分またはその大半に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を運転する状態と停止する状態とを想定し、前記蓄熱タンク内の蓄熱量の変動値が０以上でかつ最大蓄熱量を越えないようにして、全体の一次エネルギーの換算値が最小となる組み合わせの最適運転状態を求め、求められた最適運転状態によって、前記熱電併給装置を定格発電量で運転するとともに電力需要が定格発電量の電力よりも小さいときの余剰電力を前記売電手段で第３者に売ることを特徴とするコージェネレーションシステムの運転方法。
【請求項８】
請求項７に記載のコージェネレーションシステムの運転方法において、
所定時間を１周期Ｔとして、その１周期Ｔ内の熱需要および電力需要それぞれの経時的変化を予め特定する需要変化特定手段を備え、
前記１周期Ｔ内での熱需要分またはその大半に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を運転する状態と停止する状態とを想定し、前記蓄熱タンク内の蓄熱量の変動値Ｓ（ｔ＋ｎ・ｄ）が常に下記条件式（２０）を満たすとともに、下記一次エネルギーの換算値ＰＥ［式（２２）］が最小となる組み合わせの最適運転状態を求め、求められた最適運転状態によって、前記熱電併給装置を定格発電量で運転するとともに電力需要が定格発電量の電力よりも小さいときの余剰電力を前記売電手段で第３者に売ることを特徴とするコージェネレーションシステムの運転方法。
【数１８】
2002213303.tif 000018
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（２１）式で表される。
【数１９】
2002213303.tif 000019
ここで、Ｆは定格発電量の電力を、ｋは熱電比をそれぞれ示している。
上記（２１）式において、ＢＯ（ｔ’）は、熱量不足を生じた際に、その不足分を補うように補助加熱手段を起動する場合の関数を示している。
ＰＥ＝ΣＰＥn 
＝ΣＧＩn ・α＋ΣＢＩn ・α’＋ΣＢＥn ・β−ΣＳＥn ・γ…（２２）
ここで、ΣＰＥn は、ｎ＝１〜Ｔ／ｄの一次エネルギーの総和である。ＧＩnは熱電併給装置の運転に要する燃料供給量であり、次式（２３）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数２０】
2002213303.tif 000020
ここで、ＧＩ（ｔ’）は、使用する熱電併給装置によって特定される燃料供給量であり、運転停止状態では零となる。
ΣＢＥn は、１周期Ｔとなる所定時間Ｔ内での不足分の電力の投入量であり、次式（２４）で表され、また、βは電力の一次エネルギーへの換算値であり、ｎ＝１〜Ｔ／ｄの総和を求めている。
【数２１】
2002213303.tif 000021
ここで、ＧＰは、熱電併給装置の発電量であり、次式（２５）で表される。
【数２２】
2002213303.tif 000022
ここで、Ｅ（ｔ’）は、負荷電力が定格発電量の電力を越える場合は定格電力量となり、負荷電力が定格電力より小さい場合はその負荷電力量となる電力量である。また、ΣＳＥn は売電手段で第３者に売る余剰電力量で、Ｆ＞Ｅn （ｔ’）の分を積算するものであり、下記（２６）式で表され、また、γは第３者に売るときの価格分を一次エネルギーに換算した換算値であり、ｎ＝１〜Ｔ／ｄの総和を求めている。
【数２３】
2002213303.tif 000023
但し、ｅ（ｔ’）＜Ｆであれば、Ｅn （ｔ’）＝ｅ（ｔ’）
ｅ（ｔ’）≧Ｆであれば、Ｅn （ｔ’）＝Ｆ
ここで、Ｅn （ｔ’）は、負荷電力が定格発電量の電力を越える場合は定格電力量となり、負荷電力が定格電力より小さい場合はその負荷電力量となる電力量であり、ｅ（ｔ’）は、予め特定された電力需要（負荷電力）の経時的変化を示す関数である。
【請求項９】
複数段に設定した発電量で運転して設定発電量の電力と熱とを発生する熱電併給装置と、
前記熱電併給装置で発生した熱を貯める蓄熱タンクと、
前記熱電併給装置で発生した電力を第３者に売る売電手段と、
不足分の熱量を補う補助加熱手段と、
所定時間を１周期として、その１周期および次の１周期それぞれ内の熱需要および電力需要それぞれの経時的変化を予め特定する需要変化特定手段と、
不足分の電力を投入可能な買電手段とを備え、
前記１周期内での熱需要分に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を複数段の設定発電量それぞれで運転する状態と停止する状態とを想定し、前記蓄熱タンク内の蓄熱量が０以上でかつ最大蓄熱量を越えないようにして、全体の一次エネルギーの換算値が最小となる組み合わせの最適運転状態を求め、求められた最適運転状態によって、前記熱電併給装置を複数段の定格発電量で運転するとともに電力需要が設定発電量よりも小さいときの余剰電力を前記売電手段で第３者に売ることを特徴とするコージェネレーションシステムの運転方法。
【請求項１０】
請求項９に記載のコージェネレーションシステムの運転方法において、
所定時間を１周期Ｔとして、その１周期Ｔおよび次の１周期Ｔそれぞれ内の熱需要および電力需要それぞれの経時的変化を予め特定する需要変化特定手段を備え、
前記１周期Ｔ内での熱需要分に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を複数段の設定発電量それぞれで運転する状態と停止する状態とを想定し、前記蓄熱タンク内の蓄熱量の変動値Ｓ（ｔ＋ｎ・ｄ）が常に下記条件式（２７）を満たすとともに、下記一次エネルギーの換算値ＰＥ［式（２９）］が最小となる組み合わせの最適運転状態を求め、求められた最適運転状態によって、前記熱電併給装置を複数段の定格発電量で運転するとともに電力需要が設定発電量よりも小さいときの余剰電力を前記売電手段で第３者に売ることを特徴とするコージェネレーションシステムの運転方法。
【数２４】
2002213303.tif 000024
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（２８）式で表される。
【数２５】
2002213303.tif 000025
ここで、Ｆm は設定発電量を、ｋm は設定発電量Ｆm での熱電比をそれぞれ示している。ｍは、２以上で発電量の設定段数までの正の整数である。
上記（２８）式において、ＢＯ（ｔ’）は、熱量不足を生じた際に、その不足分を補うように補助加熱手段を起動する場合の関数を示している。
ＰＥ＝ΣＰＥn 
＝ΣＧＩn ・α＋ΣＢＩn ・α’＋ΣＢＥn ・β−ΣＳＥn ・γ…（２９）
ここで、ΣＰＥn は、ｎ＝１〜Ｔ／ｄの一次エネルギーの総和である。ＧＩnは熱電併給装置の運転に要する燃料供給量であり、次式（３０）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数２６】
2002213303.tif 000026
ここで、ＧＩ（ｔ’）は、使用する熱電併給装置によって特定される燃料供給量であり、運転停止状態では零となる。
ΣＢＥn は、１周期Ｔとなる所定時間Ｔ内での不足分の電力の投入量であり、次式（３１）で表され、また、βは電力の一次エネルギーへの換算値であり、ｎ＝１〜Ｔ／ｄの総和を求めている。
【数２７】
2002213303.tif 000027
ここで、ＧＰは、熱電併給装置の発電量であり、次式（３２）で表される。
【数２８】
2002213303.tif 000028
ここで、Ｅ（ｔ’）は、負荷電力が定格発電量の電力を越える場合は定格電力量となり、負荷電力が定格電力より小さい場合はその負荷電力量となる電力量である。また、ΣＳＥn は売電手段で第３者に売る余剰電力量で、Ｆ＞Ｅn （ｔ’）の分を積算するものであり、下記（３３）式で表され、また、γは第３者に売るときの価格分を一次エネルギーに換算した換算値であり、ｎ＝１〜Ｔ／ｄの総和を求めている。
【数２９】
2002213303.tif 000029
但し、ｅ（ｔ’）＜Ｆm であれば、Ｅn （ｔ’）＝ｅ（ｔ’）
ｅ（ｔ’）≧Ｆm であれば、Ｅn （ｔ’）＝Ｆ
ここで、Ｅn （ｔ’）は、負荷電力が設定発電量Ｆm を越える場合は設定電力量となり、負荷電力が設定発電量Ｆm より小さい場合はその負荷電力量となる電力量であり、ｅ（ｔ’）は、予め特定された電力需要（負荷電力）の経時的変化を示す関数である。
【請求項１１】
請求項１、請求項２、請求項３、請求項４、請求項５、請求項６、請求項７、請求項８、請求項９、請求項１０のいずれかに記載のコージェネレーションシステムの運転方法において、
熱電併給装置の１周期内における発停回数を設定する発停回数設定手段を備え、前記熱電併給装置の１周期内における発停回数が設定回数以下で一次エネルギーの換算値ＰＥが最小となる組み合わせの最適運転状態を求めるものであるコージェネレーションシステムの運転方法。
【手続補正２】
【補正対象書類名】明細書
【補正対象項目名】０００８
【補正方法】変更
【補正の内容】
【０００８】
本発明は、このような事情に鑑みてなされたものであって、請求項１、請求項２、請求項７および請求項８に係る発明は、見掛け上の発電効率を極力高くするとともに放熱ロスを極力少なくする状態で熱電併給装置を運転し、かつ、補助加熱手段を利用して、省エネルギー性を良好に向上できるようにすることを目的とし、請求項３、請求項４、請求項５、請求項６、請求項９および請求項１０に係る発明は、発電効率を極力高くするとともに放熱ロスを極力少なくする状態で熱電併給装置を運転し、かつ、補助加熱手段を利用して、省エネルギー性を良好に向上できるようにすることを目的とし、請求項１１に係る発明は、耐久性を向上できるようにすることを目的とする。
【手続補正３】
【補正対象書類名】明細書
【補正対象項目名】０００９
【補正方法】変更
【補正の内容】
【０００９】
【課題を解決するための手段】
請求項１に係る発明のコージェネレーションシステムの運転方法は、上述のような目的を達成するために、
定格発電量の電力と熱とを発生する熱電併給装置と、
前記熱電併給装置で発生した熱を貯める蓄熱タンクと、
前記熱電併給装置で発生した電力を熱に変換する電熱変換手段と、
不足分の熱量を補う補助加熱手段と、
所定時間を１周期として、その１周期内の熱需要および電力需要それぞれの経時的変化を予め特定する需要変化特定手段と、
不足分の電力を投入可能な買電手段とを備え、
前記１周期内での熱需要分またはその大半に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を運転する状態と停止する状態とを想定し、前記蓄熱タンク内の蓄熱量が０以上でかつ最大蓄熱量を越えないようにして、全体の一次エネルギーの換算値が最小となる組み合わせの最適運転状態を求め、求められた最適運転状態によって、前記熱電併給装置を定格発電量で運転するとともに電力需要が定格発電量の電力よりも小さいときの余剰電力を前記電熱変換手段で熱に変換することを特徴としている。
また、請求項２に係る発明のコージェネレーションシステムの運転方法は、上述のような目的を達成するために、
請求項１に記載のコージェネレーションシステムの運転方法において、
所定時間を１周期Ｔとして、その１周期Ｔ内の熱需要および電力需要それぞれの経時的変化を予め特定する需要変化特定手段を備え、
前記１周期Ｔ内での熱需要分またはその大半に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を運転する状態と停止する状態とを想定し、前記蓄熱タンク内の蓄熱量の変動値Ｓ（ｔ＋ｎ・ｄ）が常に下記条件式（１）を満たすとともに、下記一次エネルギーの換算値ＰＥ［式（４）］が最小となる組み合わせの最適運転状態を求め、求められた最適運転状態によって、前記熱電併給装置を定格発電量で運転するとともに電力需要が定格発電量の電力よりも小さいときの余剰電力を前記電熱変換手段で熱に変換することを特徴としている。
【数３０】
2002213303.tif 000030
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（２）式で表される。
【数３１】
2002213303.tif 000031
ここで、Ｆは定格発電量の電力を、ｋは熱電比をそれぞれ示している。また、Ｈnは余剰電力を電熱変換手段で熱に変換した変換熱量で、Ｆ＞Ｅn （ｔ’）の分を積算するものであり、下記（３）式で表される。
【数３２】
2002213303.tif 000032
但し、ｅ（ｔ’）＜Ｆであれば、Ｅn （ｔ’）＝ｅ（ｔ’）
ｅ（ｔ’）≧Ｆであれば、Ｅn （ｔ’）＝Ｆ
ここで、Ｅn （ｔ’）は、負荷電力が定格発電量の電力を越える場合は定格電力量となり、負荷電力が定格電力より小さい場合はその負荷電力量となる電力量であり、ｅ（ｔ’）は、予め特定された電力需要（負荷電力）の経時的変化を示す関数である。
上記（２）式において、ＢＯ（ｔ’）は、熱量不足を生じた際に、その不足分を補うように補助加熱手段を起動する場合の関数を示している。
ＰＥ＝ΣＰＥn ＝ΣＧＩn ・α＋ΣＢＩn ・α’＋ΣＢＥn ・β……（４）
ここで、ΣＰＥn は、ｎ＝１〜Ｔ／ｄの一次エネルギーの総和である。ＧＩnは熱電併給装置の運転に要する燃料供給量であり、次式（５）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数３３】
2002213303.tif 000033
ここで、ＧＩ（ｔ’）は、使用する熱電併給装置によって特定される燃料供給量である。
ΣＢＥn は、１周期Ｔとなる所定時間Ｔ内での不足分の電力の投入量であり、次式（６）で表され、また、βは電力の一次エネルギーへの換算値であり、ｎ＝１〜Ｔ／ｄの総和を求めている。
【数３４】
2002213303.tif 000034
ここで、ＧＰは、熱電併給装置の発電量であり、次式（７）で表される。
【数３５】
2002213303.tif 000035
ここで、Ｅ（ｔ’）は、負荷電力が定格発電量の電力を越える場合は定格電力量となり、負荷電力が定格電力より小さい場合はその負荷電力量となる電力量である。
【手続補正４】
【補正対象書類名】明細書
【補正対象項目名】００１０
【補正方法】変更
【補正の内容】
【００１０】
また、請求項３に係る発明のコージェネレーションシステムの運転方法は、前述のような目的を達成するために、
負荷電力が定格発電量より少ない場合に負荷電力に合わせて運転することができる電力と熱とを発生する熱電併給装置と、
前記熱電併給装置で発生した熱を貯める蓄熱タンクと、
不足分の熱量を補う補助加熱手段と、
所定時間を１周期として、その１周期内の熱需要および電力需要それぞれの経時的変化を予め特定する需要変化特定手段と、
不足分の電力を投入可能な買電手段とを備え、
前記１周期内での熱需要分に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を運転する状態と停止する状態とを想定し、前記蓄熱タンク内の蓄熱量が０以上でかつ最大蓄熱量を越えないようにして、全体の一次エネルギーの換算値が最小となる組み合わせの最適運転状態を求め、求められた最適運転状態によって、前記熱電併給装置を定格発電量で運転するとともに電力需要が定格発電量の電力よりも小さいときには電力需要の変化に追従させて運転することを特徴としている。
また、請求項４に係る発明のコージェネレーションシステムの運転方法は、前述のような目的を達成するために、
所定時間を１周期Ｔとして、その１周期Ｔ内の熱需要および電力需要それぞれの経時的変化を予め特定する需要変化特定手段を備え、
前記１周期Ｔ内での熱需要分に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を運転する状態と停止する状態とを想定し、前記蓄熱タンク内の蓄熱量の変動値Ｓ（ｔ＋ｎ・ｄ）が常に下記条件式（８）を満たすとともに、下記一次エネルギーの換算値ＰＥ［式（１０）］が最小となる組み合わせの最適運転状態を求め、求められた最適運転状態によって、前記熱電併給装置を定格発電量で運転するとともに電力需要が定格発電量の電力よりも小さいときには電力需要の変化に追従させて運転することを特徴としている。
【数３６】
2002213303.tif 000036
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（９）式で表される。
【数３７】
2002213303.tif 000037
ここで、Ｅn （ｔ’）は、負荷電力が定格発電量の電力を越える場合は定格電力量となり、負荷電力が定格電力より小さい場合はその負荷電力量となる電力量である。Ｂ［Ｅn （ｔ’）］は、電力量Ｅn （ｔ’）における熱電併給装置の発生熱量を示している。
また、ＢＯ（ｔ’）は、熱量不足を生じた際に、その不足分を補うように補助加熱手段を起動する場合の関数を示している。
ＰＥ＝ΣＰＥn ＝ΣＧＩn ・α＋ΣＢＩn ・α’＋ΣＢＥn ・β……（１０）  ここで、ΣＰＥn は、ｎ＝１〜Ｔ／ｄの一次エネルギーの総和である。ＧＩnは熱電併給装置の運転に要する燃料供給量であり、次式（５ａ）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数３８】
2002213303.tif 000038
ここで、ＧＩ（ｔ’）は、使用する熱電併給装置によって特定される燃料供給量である。
ΣＢＥn は、１周期Ｔとなる所定時間Ｔ内での不足分の電力の投入量であり、次式（１１）で表され、また、βは電力の一次エネルギーへの換算値であり、ｎ＝１〜Ｔ／ｄの総和を求めている。
【数３９】
2002213303.tif 000039
ここで、ＧＰは、熱電併給装置の発電量であり、次式（１２）で表される。
【数４０】
2002213303.tif 000040
ここで、Ｅ（ｔ’）は、負荷電力が定格発電量の電力を越える場合は定格電力量となり、負荷電力が定格電力より小さい場合はその負荷電力量となる電力量であり、ｅ（ｔ’）は、予め特定された電力需要（負荷電力）の経時的変化を示す関数である。
【手続補正５】
【補正対象書類名】明細書
【補正対象項目名】００１１
【補正方法】変更
【補正の内容】
【００１１】
また、請求項５に係る発明のコージェネレーションシステムの運転方法は、前述のような目的を達成するために、
複数段に設定した発電量で運転して設定発電量の電力と熱とを発生する熱電併給装置と、
前記熱電併給装置で発生した熱を貯める蓄熱タンクと、
前記熱電併給装置で発生した電力を熱に変換する電熱変換手段と、
不足分の熱量を補う補助加熱手段と、
所定時間を１周期として、その１周期および次の１周期それぞれ内の熱需要および電力需要それぞれの経時的変化を予め特定する需要変化特定手段と、
不足分の電力を投入可能な買電手段とを備え、
前記１周期内での熱需要分に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を複数段の設定発電量それぞれで運転する状態と停止する状態とを想定し、前記蓄熱タンク内の蓄熱量が０以上でかつ最大蓄熱量を越えないようにして、全体の一次エネルギーの換算値が最小となる組み合わせの最適運転状態を求め、求められた最適運転状態によって、前記熱電併給装置を複数段の定格発電量で運転するとともに電力需要が設定発電量よりも小さいときの余剰電力を前記電熱変換手段で熱に変換することを特徴としている。
また、請求項６に係る発明のコージェネレーションシステムの運転方法は、前述のような目的を達成するために、
請求項５に記載のコージェネレーションシステムの運転方法において、
所定時間を１周期Ｔとして、その１周期Ｔおよび次の１周期Ｔそれぞれ内の熱需要および電力需要それぞれの経時的変化を予め特定する需要変化特定手段を備え、
複数段に設定した発電量で運転して設定発電量の電力と熱とを発生する熱電併給装置と、
前記熱電併給装置で発生した熱を貯める蓄熱タンクと、
前記熱電併給装置で発生した電力を熱に変換する電熱変換手段と、
不足分の熱量を補う補助加熱手段と、
所定時間を１周期Ｔとして、その１周期Ｔおよび次の１周期Ｔそれぞれ内の熱需要および電力需要それぞれの経時的変化を予め特定する需要変化特定手段と、  不足分の電力を投入可能な買電手段とを備え、
前記１周期Ｔ内での熱需要分に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を複数段の設定発電量それぞれで運転する状態と停止する状態とを想定し、前記蓄熱タンク内の蓄熱量の変動値Ｓ（ｔ＋ｎ・ｄ）が常に下記条件式（１３）を満たすとともに、下記一次エネルギーの換算値ＰＥ［式（１６）］が最小となる組み合わせの最適運転状態を求め、求められた最適運転状態によって、前記熱電併給装置を複数段の定格発電量で運転するとともに電力需要が設定発電量よりも小さいときの余剰電力を前記電熱変換手段で熱に変換することを特徴としている。
【数４１】
2002213303.tif 000041
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（１４）式で表される。
【数４２】
2002213303.tif 000042
ここで、Ｆm は設定発電量を、ｋm は設定発電量Ｆm での熱電比をそれぞれ示している。ｍは、２以上で発電量の設定段数までの正の整数である。また、Ｈnは余剰電力を電熱変換手段で熱に変換した変換熱量で、Ｆm ＞Ｅn （ｔ’）の分を積算するものであり、下記（１５）式で表される。
【数４３】
2002213303.tif 000043
但し、ｅ（ｔ’）＜Ｆm であれば、Ｅn （ｔ’）＝ｅ（ｔ’）
ｅ（ｔ’）≧Ｆm であれば、Ｅn （ｔ’）＝Ｆm 
ここで、Ｅn （ｔ’）は、負荷電力が設定発電量Ｆm を越える場合は設定電力量となり、負荷電力が設定発電量Ｆm より小さい場合はその負荷電力量となる電力量であり、ｅ（ｔ’）は、予め特定された電力需要（負荷電力）の経時的変化を示す関数である。
上記（１４）式において、ＢＯ（ｔ’）は、熱量不足を生じた際に、その不足分を補うように補助加熱手段を起動する場合の関数を示している。
ＰＥ＝ΣＰＥn ＝ΣＧＩn ・α＋ΣＢＩn ・α’＋ΣＢＥn ・β……（１６）
ここで、ΣＰＥn は、ｎ＝１〜Ｔ／ｄの一次エネルギーの総和である。ＧＩnは熱電併給装置の運転に要する燃料供給量であり、次式（１７）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数４４】
2002213303.tif 000044
ここで、ＧＩ（ｔ’）は、使用する熱電併給装置によって特定される燃料供給量である。
ΣＢＥn は、１周期Ｔとなる所定時間Ｔ内での不足分の電力の投入量であり、次式（１８）で表され、また、βは電力の一次エネルギーへの換算値であり、ｎ＝１〜Ｔ／ｄの総和を求めている。
【数４５】
2002213303.tif 000045
ここで、ＧＰは、熱電併給装置の発電量であり、次式（１９）で表される。
【数４６】
2002213303.tif 000046
ここで、Ｅ（ｔ’）は、負荷電力が設定発電量Ｆm を越える場合は設定電力量となり、負荷電力が設定発電量Ｆm より小さい場合はその負荷電力量となる電力量である。
【手続補正６】
【補正対象書類名】明細書
【補正対象項目名】００１２
【補正方法】変更
【補正の内容】
【００１２】
また、請求項７に係る発明のコージェネレーションシステムの運転方法は、前述のような目的を達成するために、
定格発電量の電力と熱とを発生する熱電併給装置と、
前記熱電併給装置で発生した熱を貯める蓄熱タンクと、
前記熱電併給装置で発生した電力を第３者に売る売電手段と、
不足分の熱量を補う補助加熱手段と、
所定時間を１周期として、その１周期内の熱需要および電力需要それぞれの経時的変化を予め特定する需要変化特定手段と、
不足分の電力を投入可能な買電手段とを備え、
前記１周期内での熱需要分またはその大半に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を運転する状態と停止する状態とを想定し、前記蓄熱タンク内の蓄熱量の変動値が０以上でかつ最大蓄熱量を越えないようにして、全体の一次エネルギーの換算値が最小となる組み合わせの最適運転状態を求め、求められた最適運転状態によって、前記熱電併給装置を定格発電量で運転するとともに電力需要が定格発電量の電力よりも小さいときの余剰電力を前記売電手段で第３者に売ることを特徴としている。
また、請求項８に係る発明のコージェネレーションシステムの運転方法は、前述のような目的を達成するために、
所定時間を１周期Ｔとして、その１周期Ｔ内の熱需要および電力需要それぞれの経時的変化を予め特定する需要変化特定手段を備え、
前記１周期Ｔ内での熱需要分またはその大半に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を運転する状態と停止する状態とを想定し、前記蓄熱タンク内の蓄熱量の変動値Ｓ（ｔ＋ｎ・ｄ）が常に下記条件式（２０）を満たすとともに、下記一次エネルギーの換算値ＰＥ［式（２２）］が最小となる組み合わせの最適運転状態を求め、求められた最適運転状態によって、前記熱電併給装置を定格発電量で運転するとともに電力需要が定格発電量の電力よりも小さいときの余剰電力を前記売電手段で第３者に売ることを特徴としている。
【数４７】
2002213303.tif 000047
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（２１）式で表される。  
【数４８】
2002213303.tif 000048
ここで、Ｆは定格発電量の電力を、ｋは熱電比をそれぞれ示している。
上記（２１）式において、ＢＯ（ｔ’）は、熱量不足を生じた際に、その不足分を補うように補助加熱手段を起動する場合の関数を示している。
ＰＥ＝ΣＰＥn 
＝ΣＧＩn ・α＋ΣＢＩn ・α’＋ΣＢＥn ・β−ΣＳＥn ・γ…（２２）
ここで、ΣＰＥn は、ｎ＝１〜Ｔ／ｄの一次エネルギーの総和である。ＧＩnは熱電併給装置の運転に要する燃料供給量であり、次式（２３）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数４９】
2002213303.tif 000049
ここで、ＧＩ（ｔ’）は、使用する熱電併給装置によって特定される燃料供給量であり、運転停止状態では零となる。
ΣＢＥn は、１周期Ｔとなる所定時間Ｔ内での不足分の電力の投入量であり、次式（２４）で表され、また、βは電力の一次エネルギーへの換算値であり、ｎ＝１〜Ｔ／ｄの総和を求めている。
【数５０】
2002213303.tif 000050
ここで、ＧＰは、熱電併給装置の発電量であり、次式（２５）で表される。
【数５１】
2002213303.tif 000051
ここで、Ｅ（ｔ’）は、負荷電力が定格発電量の電力を越える場合は定格電力量となり、負荷電力が定格電力より小さい場合はその負荷電力量となる電力量である。また、ΣＳＥn は売電手段で第３者に売る余剰電力量で、Ｆ＞Ｅn （ｔ’）の分を積算するものであり、下記（２６）式で表され、また、γは第３者に売るときの価格分を一次エネルギーに換算した換算値であり、ｎ＝１〜Ｔ／ｄの総和を求めている。
【数５２】
2002213303.tif 000052
但し、ｅ（ｔ’）＜Ｆであれば、Ｅn （ｔ’）＝ｅ（ｔ’）
ｅ（ｔ’）≧Ｆであれば、Ｅn （ｔ’）＝Ｆ
ここで、Ｅn （ｔ’）は、負荷電力が定格発電量の電力を越える場合は定格電力量となり、負荷電力が定格電力より小さい場合はその負荷電力量となる電力量であり、ｅ（ｔ’）は、予め特定された電力需要（負荷電力）の経時的変化を示す関数である。
【手続補正７】
【補正対象書類名】明細書
【補正対象項目名】００１３
【補正方法】変更
【補正の内容】
【００１３】
また、請求項９に係る発明のコージェネレーションシステムの運転方法は、前述のような目的を達成するために、
複数段に設定した発電量で運転して設定発電量の電力と熱とを発生する熱電併給装置と、
前記熱電併給装置で発生した熱を貯める蓄熱タンクと、
前記熱電併給装置で発生した電力を第３者に売る売電手段と、
不足分の熱量を補う補助加熱手段と、
所定時間を１周期として、その１周期および次の１周期それぞれ内の熱需要および電力需要それぞれの経時的変化を予め特定する需要変化特定手段と、
不足分の電力を投入可能な買電手段とを備え、
前記１周期内での熱需要分に相当する量の熱を前記熱電併給装置により前記１周期内で発生させて消費するとともに、余剰となった熱を次の周期で消費することを許容し、かつ、不足分の熱量を前記補助加熱手段で補い、前記１周期を設定時間間隔ごとに分割して、各分割時間それぞれにおいて前記熱電併給装置を複数段の設定発電量それぞれで運転する状態と停止する状態とを想定し、前記蓄熱タンク内の蓄熱量が０以上でかつ最大蓄熱量を越えないようにして、全体の一次エネルギーの換算値が最小となる組み合わせの最適運転状態を求め、求められた最適運転状態によって、前記熱電併給装置を複数段の定格発電量で運転するとともに電力需要が設定発電量よりも小さいときの余剰電力を前記売電手段で第３者に売ることを特徴としている。
また、請求項１０に係る発明のコージェネレーションシステムの運転方法は、前述のような目的を達成するために、
所定時間を１周期Ｔとして、その１周期Ｔおよび次の１周期Ｔそれぞれ内の熱需要および電力需要それぞれの経時的変化を予め特定する需要変化特定手段を備え、
前記１周期Ｔ内での熱需要分に相当する量の熱を前記熱電併給装置により前記１周期Ｔ内で発生させて消費するとともに、余剰となった熱を次の周期で消費することを許容し、かつ、不足分の熱量を前記補助加熱手段で補い、前記１周期Ｔを設定時間間隔ｄごとに分割して、各分割時間それぞれにおいて前記熱電併給装置を複数段の設定発電量それぞれで運転する状態と停止する状態とを想定し、前記蓄熱タンク内の蓄熱量の変動値Ｓ（ｔ＋ｎ・ｄ）が常に下記条件式（２７）を満たすとともに、下記一次エネルギーの換算値ＰＥ［式（２９）］が最小となる組み合わせの最適運転状態を求め、求められた最適運転状態によって、前記熱電併給装置を複数段の定格発電量で運転するとともに電力需要が設定発電量よりも小さいときの余剰電力を前記売電手段で第３者に売ることを特徴としている。
【数５３】
2002213303.tif 000053
ここで、Ｓ［ｔ＋（ｎ−１）ｄ］は各分割時間の運転開始時の蓄熱タンク内の蓄熱量を示している。また、ｎは、１〜Ｔ／ｄの正の整数であり、ｈ（ｔ’）は、予め特定された熱需要の経時的変化を示す関数であり、ｅｘ（ｔ’）はシステムからの放熱量である。Ｓmax は、蓄熱タンクの最大蓄熱量を示している。
ＨＴn は分割時間間隔ｄ内での取得熱量を示し、下記（２８）式で表される。
【数５４】
2002213303.tif 000054
ここで、Ｆm は設定発電量を、ｋm は設定発電量Ｆm での熱電比をそれぞれ示している。ｍは、２以上で発電量の設定段数までの正の整数である。
上記（２８）式において、ＢＯ（ｔ’）は、熱量不足を生じた際に、その不足分を補うように補助加熱手段を起動する場合の関数を示している。
ＰＥ＝ΣＰＥn 
＝ΣＧＩn ・α＋ΣＢＩn ・α’＋ΣＢＥn ・β−ΣＳＥn ・γ…（２９）
ここで、ΣＰＥn は、ｎ＝１〜Ｔ／ｄの一次エネルギーの総和である。ＧＩnは熱電併給装置の運転に要する燃料供給量であり、次式（３０）で表され、また、αは燃料の一次エネルギーへの換算値であり、ΣＧＩn ・αはｎ＝１〜Ｔ／ｄの総和を求めている。また、ＢＩn は補助加熱手段の運転に要する燃料供給量であり、α’は燃料の一次エネルギーへの換算値であり、ΣＢＩn ・α’はｎ＝１〜Ｔ／ｄの総和を求めている。
【数５５】
2002213303.tif 000055
ここで、ＧＩ（ｔ’）は、使用する熱電併給装置によって特定される燃料供給量であり、運転停止状態では零となる。
ΣＢＥn は、１周期Ｔとなる所定時間Ｔ内での不足分の電力の投入量であり、次式（３１）で表され、また、βは電力の一次エネルギーへの換算値であり、ｎ＝１〜Ｔ／ｄの総和を求めている。
【数５６】
2002213303.tif 000056
ここで、ＧＰは、熱電併給装置の発電量であり、次式（３２）で表される。
【数５７】
2002213303.tif 000057
ここで、Ｅ（ｔ’）は、負荷電力が定格発電量の電力を越える場合は定格電力量となり、負荷電力が定格電力より小さい場合はその負荷電力量となる電力量である。また、ΣＳＥn は売電手段で第３者に売る余剰電力量で、Ｆ＞Ｅn （ｔ’）の分を積算するものであり、下記（３３）式で表され、また、γは第３者に売るときの価格分を一次エネルギーに換算した換算値であり、ｎ＝１〜Ｔ／ｄの総和を求めている。
【数５８】
2002213303.tif 000058
但し、ｅ（ｔ’）＜Ｆm であれば、Ｅn （ｔ’）＝ｅ（ｔ’）
ｅ（ｔ’）≧Ｆm であれば、Ｅn （ｔ’）＝Ｆ
ここで、Ｅn （ｔ’）は、負荷電力が設定発電量Ｆm を越える場合は設定電力量となり、負荷電力が設定発電量Ｆm より小さい場合はその負荷電力量となる電力量であり、ｅ（ｔ’）は、予め特定された電力需要（負荷電力）の経時的変化を示す関数である。
【手続補正８】
【補正対象書類名】明細書
【補正対象項目名】００１４
【補正方法】変更
【補正の内容】
【００１４】
また、請求項１１に係る発明は、前述のような目的を達成するために、
請求項１、請求項２、請求項３、請求項４、請求項５、請求項６、請求項７、請求項８、請求項９、請求項１０のいずれかに記載のコージェネレーションシステムの運転方法において、
熱電併給装置の１周期内における発停回数を設定する発停回数設定手段を備え、前記熱電併給装置の１周期内における発停回数が設定回数以下で一次エネルギーの換算値ＰＥが最小となる組み合わせの最適運転状態を求めるように構成する。
【手続補正９】
【補正対象書類名】明細書
【補正対象項目名】００１５
【補正方法】変更
【補正の内容】
【００１５】
【作用】
請求項１および請求項２に係る発明のコージェネレーションシステムの運転方法の構成によれば、例えば、１日間など、１周期となる所定時間内において、熱電併給装置を定格発電量で運転して発電し、電力需要が定格発電量の電力よりも小さいときの電力需要を越える余剰の電力を電熱変換手段によって熱に変換し、不足分の電力を買電手段で賄うとともに、変換した熱と熱電併給装置で発生した熱によって熱需要を賄い、かつ、後で必要とする熱を蓄熱タンクに貯めて熱需要に応じるとともに、不足分の熱を補助加熱手段で補うことができる。
このときに、例えば、１日などの１周期内にとどまらず、翌日の午前分や昼分の熱需要など次の１周期内の熱需要の一部を賄うために消費することを許容し、蓄熱タンクに貯めた熱が消費までの間に放熱するなどのシステムからの放熱分と、不足分の電力を買電手段で賄うことと、変換した熱や熱電併給装置で発生した熱や蓄熱タンクに貯めた熱量で熱需要を賄うのに不足するときに不足分の熱を補助加熱手段で補うことをも考慮して、１周期を設定時間間隔で分割し、その分割時間ごとに熱電併給装置を運転する状態と停止する状態それぞれで、蓄熱タンク内の蓄熱量が０以上でかつ最大蓄熱量を越えないようにして、請求項２に係る発明の場合には２の（Ｔ／ｄ）乗分といったように仮想の運転状態の組み合わせを求め、それに基づいて、全体の一次エネルギーへの変換値が最小となる組み合わせを求め、その組み合わせに従って運転する。
【手続補正１０】
【補正対象書類名】明細書
【補正対象項目名】００１６
【補正方法】変更
【補正の内容】
【００１６】
また、請求項３および請求項４に係る発明のコージェネレーションシステムの運転方法の構成によれば、例えば、１日間など、１周期となる所定時間内において、電力需要が定格発電量を越えるときは熱電併給装置を定格発電量で運転して発電し、電力需要が定格発電量よりも小さいときは熱電併給装置を電力需要に追従して運転して発電し、不足分の電力を買電手段で賄うとともに熱電併給装置で発生した熱によって熱需要を賄い、かつ、後で必要とする熱を蓄熱タンクに貯めて熱需要に応じるとともに、不足分の熱を補助加熱手段で補うことができる。
このときに、例えば、１日などの１周期内にとどまらず、翌日の午前分や昼分の熱需要など次の１周期内の熱需要の一部を賄うために消費することを許容し、蓄熱タンクに貯めた熱が消費までの間に放熱する分と、不足分の電力を買電手段で賄うことと、変換した熱や熱電併給装置で発生した熱や蓄熱タンクに貯めた熱量で熱需要を賄うのに不足するときに不足分の熱を補助加熱手段で補うことをも考慮して、１周期を設定時間間隔で分割し、その分割時間ごとに熱電併給装置を運転する状態と停止する状態それぞれで、蓄熱タンク内の蓄熱量が０以上でかつ最大蓄熱量を越えないようにして、請求項４に係る発明の場合には２の（Ｔ／ｄ）乗分といったように仮想の運転状態の組み合わせを求め、それに基づいて、全体の一次エネルギーへの変換値が最小となる組み合わせを求め、その組み合わせに従って運転する。
【手続補正１１】
【補正対象書類名】明細書
【補正対象項目名】００１７
【補正方法】変更
【補正の内容】
【００１７】
また、請求項５および請求項６に係る発明のコージェネレーションシステムの運転方法の構成によれば、例えば、１日間など、１周期となる所定時間内において、熱電併給装置を複数段に設定した発電量で運転して発電し、電力需要が設定発電量の電力よりも小さいときの電力需要を越える余剰の電力を電熱変換手段によって熱に変換し、不足分の電力を買電手段で賄うとともに、変換した熱と熱電併給装置で発生した熱によって熱需要を賄い、かつ、後で必要とする熱を蓄熱タンクに貯めて熱需要に応じるとともに、不足分の熱を補助加熱手段で補うことができる。
このときに、例えば、１日などの１周期内にとどまらず、翌日の午前分や昼分の熱需要など次の１周期内の熱需要の一部を賄うために消費することを許容し、蓄熱タンクに貯めた熱が消費までの間に放熱する分と、不足分の電力を買電手段で賄うことと、変換した熱や熱電併給装置で発生した熱や蓄熱タンクに貯めた熱量で熱需要を賄うのに不足するときに不足分の熱を補助加熱手段で補うことをも考慮して、１周期を設定時間間隔で分割し、その分割時間ごとに熱電併給装置を複数段に設定した発電量で運転する状態と停止する状態それぞれで、蓄熱タンク内の蓄熱量が０以上でかつ最大蓄熱量を越えないようにして、請求項６に係る発明の場合には（１＋ｍ）の（Ｔ／ｄ）乗分といったように仮想の運転状態の組み合わせを求め、それに基づいて、全体の一次エネルギーへの変換値が最小となる組み合わせを求め、その組み合わせに従って運転する。
【手続補正１２】
【補正対象書類名】明細書
【補正対象項目名】００１８
【補正方法】変更
【補正の内容】
【００１８】
また、請求項７および請求項８に係る発明のコージェネレーションシステムの運転方法の構成によれば、例えば、１日間など、１周期となる所定時間内において、熱電併給装置を定格発電量で運転して発電し、電力需要が定格発電量の電力よりも小さいときの電力需要を越える余剰の電力を売電手段によって第３者に売り、不足分の電力を買電手段で賄うとともに、熱電併給装置で発生した熱によって熱需要を賄い、かつ、後で必要とする熱を蓄熱タンクに貯めて熱需要に応じるとともに、不足分の熱を補助加熱手段で補うことができる。
このときに、例えば、１日などの１周期内にとどまらず、翌日の午前分や昼分の熱需要など次の１周期内の熱需要の一部を賄うために消費することを許容し、蓄熱タンクに貯めた熱が消費までの間に放熱するなどのシステムからの放熱分と、不足分の電力を買電手段で賄うことと、余剰の電力を売電手段によって第３者に売ること、ならびに、熱電併給装置で発生した熱や蓄熱タンクに貯めた熱量で熱需要を賄うのに不足するときに不足分の熱を補助加熱手段で補うことをも考慮して、１周期を設定時間間隔で分割し、その分割時間ごとに熱電併給装置を運転する状態と停止する状態それぞれで、蓄熱タンク内の蓄熱量が０以上でかつ最大蓄熱量を越えないようにして、請求項８に係る発明の場合には２の（Ｔ／ｄ）乗分といったように仮想の運転状態の組み合わせを求め、それに基づいて、全体の一次エネルギーへの変換値が最小となる組み合わせを求め、その組み合わせに従って運転する。
【手続補正１３】
【補正対象書類名】明細書
【補正対象項目名】００１９
【補正方法】変更
【補正の内容】
【００１９】
また、請求項９および請求項１０に係る発明のコージェネレーションシステムの運転方法の構成によれば、例えば、１日間など、１周期となる所定時間内において、熱電併給装置を複数段に設定した発電量で運転して発電し、電力需要が設定発電量の電力よりも小さいときの電力需要を越える余剰の電力を売電手段によって第３者に売り、不足分の電力を買電手段で賄うとともに、変換した熱と熱電併給装置で発生した熱によって熱需要を賄い、かつ、後で必要とする熱を蓄熱タンクに貯めて熱需要に応じるとともに、不足分の熱を補助加熱手段で補うことができる。
このときに、例えば、１日などの１周期内にとどまらず、翌日の午前分や昼分の熱需要など次の１周期内の熱需要の一部を賄うために消費することを許容し、蓄熱タンクに貯めた熱が消費までの間に放熱する分と、不足分の電力を買電手段で賄うことと、余剰の電力を売電手段によって第３者に売ること、ならびに、熱電併給装置で発生した熱や蓄熱タンクに貯めた熱量で熱需要を賄うのに不足するときに不足分の熱を補助加熱手段で補うことをも考慮して、１周期を設定時間間隔で分割し、その分割時間ごとに熱電併給装置を複数段に設定した発電量で運転する状態と停止する状態それぞれで、蓄熱タンク内の蓄熱量が０以上でかつ最大蓄熱量を越えないようにして、請求項１０に係る発明の場合には（１＋ｍ）の（Ｔ／ｄ）乗分といったように仮想の運転状態の組み合わせを求め、それに基づいて、全体の一次エネルギーへの変換値が最小となる組み合わせを求め、その組み合わせに従って運転する。
【手続補正１４】
【補正対象書類名】明細書
【補正対象項目名】００２０
【補正方法】変更
【補正の内容】
【００２０】
また、請求項１１に係る発明のコージェネレーションシステムの運転方法の構成によれば、使用する熱電併給装置個々の特性や希望する耐用年数などに応じて、その発停回数を設定し、必要以上の発停の繰り返しを回避する。
【手続補正１５】
【補正対象書類名】明細書
【補正対象項目名】０１４０
【補正方法】変更
【補正の内容】
【０１４０】
【発明の効果】
以上の説明から明らかなように、請求項１および請求項２に係る発明のコージェネレーションシステムの運転方法によれば、電力需要が定格発電量よりも小さいときの電力需要を越える余剰の電力を電熱変換手段によって熱に変換し、熱電併給装置を定格発電量で運転して発電するから、定格発電量よりも小さい発電量で運転する場合に比べて見掛け上の発電効率を高くできる。
しかも、例えば、１日などの１周期内にとどまらず、翌日の午前分の熱需要など次の１周期内の熱需要の一部を賄うために消費することを許容し、蓄熱タンクに貯めた熱が消費までの間に放熱する分と、不足分の電力を買電手段で賄うことと、変換した熱や熱電併給装置で発生した熱や蓄熱タンクに貯めた熱量で熱需要を賄うのに不足するときに不足分の熱を補助加熱手段で補うことをも考慮して、全体の一次エネルギーへの変換値が最小となるように運転するから、蓄熱タンクの容量の制約に起因してわずかな熱量不足を生じても、補助加熱手段の利用により良好に対処でき、放熱ロスのより少ない状態を選択して熱電併給装置を運転でき、省エネルギー性を良好に向上できる。
【手続補正１６】
【補正対象書類名】明細書
【補正対象項目名】０１４１
【補正方法】変更
【補正の内容】
【０１４１】
また、請求項３および請求項４に係る発明のコージェネレーションシステムの運転方法によれば、電力需要が定格発電量を越えるときは熱電併給装置を定格発電量で運転して発電するから発電効率を高くでき、また、電力需要が定格発電量よりも小さいときは熱電併給装置を電力需要に追従して運転して発電し、余剰電力を発生させないようにするから、常時定格発電量で運転するよりも効率を向上できるとともに熱に変換するための構成を不用にできる。
しかも、例えば、１日などの１周期内にとどまらず、翌日の午前分の熱需要など次の１周期内の熱需要の一部を賄うために消費することを許容し、蓄熱タンクに貯めた熱が消費までの間に放熱する分と、不足分の電力を買電手段で賄うことと、変換した熱や熱電併給装置で発生した熱や蓄熱タンクに貯めた熱量で熱需要を賄うのに不足するときに不足分の熱を補助加熱手段で補うことをも考慮して、全体の一次エネルギーへの変換値が最小となるように運転するから、蓄熱タンクの容量の制約に起因してわずかな熱量不足を生じても、補助加熱手段の利用により良好に対処でき、放熱ロスのより少ない状態を選択して熱電併給装置を運転でき、省エネルギー性を良好に向上できる。
【手続補正１７】
【補正対象書類名】明細書
【補正対象項目名】０１４２
【補正方法】変更
【補正の内容】
【０１４２】
また、請求項５および請求項６に係る発明のコージェネレーションシステムの運転方法によれば、熱電併給装置を複数段に設定した発電量で運転するから、常時一定出力で運転するよりも余剰電力が少なく効率良い運転ができる。
しかも、例えば、１日などの１周期内にとどまらず、翌日の午前分の熱需要など次の１周期内の熱需要の一部を賄うために消費することを許容し、蓄熱タンクに貯めた熱が消費までの間に放熱する分と、不足分の電力を買電手段で賄うことと、変換した熱や熱電併給装置で発生した熱や蓄熱タンクに貯めた熱量で熱需要を賄うのに不足するときに不足分の熱を補助加熱手段で補うことをも考慮して、全体の一次エネルギーへの変換値が最小となるように運転するから、蓄熱タンクの容量の制約に起因してわずかな熱量不足を生じても、補助加熱手段の利用により良好に対処でき、放熱ロスのより少ない状態を選択して熱電併給装置を運転でき、省エネルギー性を良好に向上できる。
【手続補正１８】
【補正対象書類名】明細書
【補正対象項目名】０１４３
【補正方法】変更
【補正の内容】
【０１４３】
また、請求項７および請求項８に係る発明のコージェネレーションシステムの運転方法によれば、電力需要が定格発電量よりも小さいときの電力需要を越える余剰の電力を売電手段によって第３者に売り、熱電併給装置を定格発電量で運転して発電するから、定格発電量よりも小さい発電量で運転する場合に比べて見掛け上の発電効率を高くできる。
しかも、例えば、１日などの１周期内にとどまらず、翌日の午前分の熱需要など次の１周期内の熱需要の一部を賄うために消費することを許容し、蓄熱タンクに貯めた熱が消費までの間に放熱する分と、不足分の電力を買電手段で賄うことと、余剰の電力を売電手段によって第３者に売ること、ならびに、熱電併給装置で発生した熱や蓄熱タンクに貯めた熱量で熱需要を賄うのに不足するときに不足分の熱を補助加熱手段で補うことをも考慮して、全体の一次エネルギーへの変換値が最小となるように運転するから、蓄熱タンクの容量の制約に起因してわずかな熱量不足を生じても、補助加熱手段の利用により良好に対処でき、放熱ロスのより少ない状態を選択して熱電併給装置を運転でき、省エネルギー性を良好に向上できる。
【手続補正１９】
【補正対象書類名】明細書
【補正対象項目名】０１４４
【補正方法】変更
【補正の内容】
【０１４４】
また、請求項９および請求項１０に係る発明のコージェネレーションシステムの運転方法によれば、熱電併給装置を複数段に設定した発電量で運転するから、常時一定出力で運転するよりも余剰電力が少なく効率良い運転ができる。
しかも、例えば、１日などの１周期内にとどまらず、翌日の午前分の熱需要など次の１周期内の熱需要の一部を賄うために消費することを許容し、蓄熱タンクに貯めた熱が消費までの間に放熱する分と、不足分の電力を買電手段で賄うことと、余剰の電力を売電手段によって第３者に売ること、ならびに、熱電併給装置で発生した熱や蓄熱タンクに貯めた熱量で熱需要を賄うのに不足するときに不足分の熱を補助加熱手段で補うことをも考慮して、全体の一次エネルギーへの変換値が最小となるように運転するから、蓄熱タンクの容量の制約に起因してわずかな熱量不足を生じても、補助加熱手段の利用により良好に対処でき、放熱ロスのより少ない状態を選択して熱電併給装置を運転でき、省エネルギー性を良好に向上できる。
【手続補正２０】
【補正対象書類名】明細書
【補正対象項目名】０１４５
【補正方法】変更
【補正の内容】
【０１４５】
また、請求項１１に係る発明のコージェネレーションシステムの運転方法によれば、使用する熱電併給装置個々の特性や希望する耐用年数などに応じて、その発停回数を設定し、必要以上の発停の繰り返しを回避し、熱電併給装置の寿命が早期に低下することを防止して耐久性を向上できる。